(57)【要約】【課題】有効な非接触券を所持している利用者が少し改札通路内に進入してもドアを閉とせずに、利用者に不快感を与えない非接触式自動改札機を提供する。【解決手段】非接触式自動改札機の本体と非接触券との間でデータ授受を行って入出場処理する非接触式自動改札機において、前記非接触式自動改札機の本体の改札通路内の利用者を検知する人間検知手段と、前記非接触式自動改札機の本体の改札通路の所定の位置まで無札者が進入したときに利用者の通過を阻止する阻止手段と、前記非接触式自動改札機の本体に設けられているアンテナにタッチ又はかざされた媒体がその非接触式自動改札機の本体で使用可能な非接触券と認証され、かつ、その非接触券に対する所定の入出場処理が終了までに利用者がその非接触式自動改札機の本体の改札通路の所定位置まで進入しても前記阻止手段の駆動を中止させる中止制御手段とを有する。【選択図】      図３
2004326664.tif 000002
【特許請求の範囲】
【請求項１】
非接触式自動改札機の本体と非接触券との間でデータ授受を行って入出場処理する非接触式自動改札機において、
前記非接触式自動改札機の本体の改札通路内の利用者を検知する人間検知手段と、
前記非接触式自動改札機の本体の改札通路の所定の位置まで無札者が進入したときに利用者の通過を阻止する阻止手段と、
前記非接触式自動改札機の本体に設けられているアンテナにタッチ又はかざされた媒体がその非接触式自動改札機の本体で使用可能な非接触券と認証され、かつ、その非接触券に対する所定の入出場処理が終了までに利用者がその非接触式自動改札機の本体の改札通路の所定位置まで進入しても前記阻止手段の駆動を中止させる中止制御手段と、
を有することを特徴とする非接触式自動改札機。
【請求項２】
非接触式自動改札機の本体と非接触券との間でデータ授受を行って入出場処理する非接触式自動改札機において、
前記非接触式自動改札機の本体の改札通路内の利用者を検知する人間検知手段と、
前記非接触式自動改札機の本体の改札通路の所定の位置まで無札者が進入したときに利用者の通過を阻止する阻止手段と、
前記非接触式自動改札機の本体に設けられているアンテナにタッチ又はかざされた媒体がその非接触式自動改札機の本体で使用可能な非接触券と認証され、かつ、その非接触券がそのアンテナにタッチ又はかざされている間、利用者がその非接触式自動改札機の本体の改札通路の所定位置まで進入しても前記阻止手段の駆動を中止させる中止制御手段と、
を有することを特徴とする非接触式自動改札機。
【請求項３】
請求項１又は２に記載の非接触式自動改札機において、阻止手段は、ドア、又はドアとランプからなることを特徴とする非接触式自動改札機。
【請求項４】
請求項１〜３のいずれかに記載の非接触式自動改札機において、利用者がその非接触式自動改札機の本体の改札通路の所定位置まで進入したときに、ドアを利用者に不快感を与えない低速で閉動作させ、又は、ドアを半分だけ閉じるようにしたことを特徴とする非接触式自動改札機。
【請求項５】
請求項１〜４のいずれかに記載の非接触式自動改札機において、非接触式自動改札機の本体は、非接触券専用型であることを特徴とする非接触式自動改札機。
【発明の詳細な説明】
【０００１】
【発明の属する技術分野】
本発明は非接触式自動改札機に係り、特に、有効な非接触券を所持している利用者に不快感を与えないようにしたものに関する。
【０００２】
【従来の技術】
従来、この種の非接触式自動改札機は、その非接触式自動改札機の本体の改札通路入口側上面に設けられているアンテナに無線通信機能を備えたＩＣカードからなる非接触券が軽くタッチされ、又はそのアンテナにかざされると、非接触券と非接触式自動改札機の本体との間でデータ授受が行われるように構成されている。
【０００３】
そして、非接触式自動改札機の本体側では、非接触券から得た定期券データやストアードフェアカードデータ（ＳＦデータ）等のカードデータを基に入出場（入場又は出場を意味している。）のための所定の演算処理を行い、その演算処理の結果、入出場を許可できると判定されたときはドアを開いて（非接触式自動改札機の本体がノーマルオープン型のときはそのまま）、利用者（旅客）の通過を可能とし、その演算処理の結果、入出場を許可できないと判定されたときはドアを閉にして利用者の通過を阻止するように構成されている。また、上述の演算処理の結果、入出場が許可されたときは、新たな入出場データが非接触券に書込まれ、その書込済信号を非接触式自動改札機の本体で受信したときに一連の入出場処理が終了とされる（特許文献１参照。）。
【０００４】
【特許文献１】特開２００３−６６８４号公報
【０００５】
【発明が解決しようとする課題】
しかしながら、上記従来の非接触式自動改札機は、媒体が磁気券と異なり、改札口入口において媒体を投入するという行為を必要としないため、非接触券に対する一連の入出場処理が終了する前に利用者が改札通路の所定位置まで進入することがあり、この場合、有効な非接触券を所持していても無札者と判定されたドアが閉じられ、また、無札者発生を駅の係員に報知するためのランプが点灯して利用者に不快感を与えるおそれがあった。特に、このような場合は、非接触式自動改札機の本体が非接触券のみを処理する専用型のとき、改札通路側の筐体の長さが磁気券を処理するときよりも短くなるので生じやすかった。
【０００６】
そこで、本発明は、上記欠点を解決するためになされたものであって、その目的は、有効な非接触券の利用者に対して不快感を与えないようにした非接触式自動改札機を提供することにある。
【０００７】
【課題を解決するための手段】
本発明に係る非接触式自動改札機は、上記目的を達成するために、請求項１に記載の発明は、非接触式自動改札機の本体と非接触券との間でデータ授受を行って入出場処理する非接触式自動改札機において、前記非接触式自動改札機の本体の改札通路内の利用者を検知する人間検知手段と、前記非接触式自動改札機の本体の改札通路の所定の位置まで無札者が進入したときに利用者の通過を阻止する阻止手段と、前記非接触式自動改札機の本体に設けられているアンテナにタッチ又はかざされた媒体がその非接触式自動改札機の本体で使用可能な非接触券と認証され、かつ、その非接触券に対する所定の入出場処理が終了までに利用者がその非接触式自動改札機の本体の改札通路の所定位置まで進入しても前記阻止手段の駆動を中止させる中止制御手段と、を有することを特徴としている。
本発明の請求項２に記載の非接触式自動改札機は、非接触式自動改札機の本体と非接触券との間でデータ授受を行って入出場処理する非接触式自動改札機において、前記非接触式自動改札機の本体の改札通路内の利用者を検知する人間検知手段と、前記非接触式自動改札機の本体の改札通路の所定の位置まで無札者が進入したときに利用者の通過を阻止する阻止手段と、前記非接触式自動改札機の本体に設けられているアンテナにタッチ又はかざされた媒体がその非接触式自動改札機の本体で使用可能な非接触券と認証され、かつ、その非接触券がそのアンテナにタッチ又はかざされている間、利用者がその非接触式自動改札機の本体の改札通路の所定位置まで進入しても前記阻止手段の駆動を中止させる中止制御手段と、を有することを特徴としている。
本発明の請求項３に記載の非接触式自動改札機は、阻止手段は、ドア、又はドアとランプからなることを特徴としている。
本発明の請求項４に記載の非接触式自動改札機は、利用者がその非接触式自動改札機の本体の改札通路の所定位置まで進入したときに、ドアを利用者に不快感を与えない低速で閉動作させ、又は、ドアを半分だけ閉じるようにしたことを特徴としている。
本発明の請求項５に記載の非接触式自動改札機は、非接触式自動改札機の本体は、非接触券専用型であることを特徴としている。
【０００８】
【発明の実施の形態】
以下、本発明の実施の形態を図面に基づいて説明する。図１（ａ）は、一実施の形態に係る非接触式自動改札機の本体（以下、「改札機本体」という。）Ｇを形成する一対の筐体Ｈ１  ，Ｈ２  のうちの一方の筐体Ｈ１  の斜視図、同図（ｂ）は、その改札機本体Ｇの平面図である。
【０００９】
この改札機本体Ｇは、無線通信機能を備えたＩＣカードからなる非接触券Ｃ（後述する図２参照）のみを処理することのできる非接触券専用型に構成されているとともに、一方向（図１（ｂ）の矢印参照）のみの処理機として構成されている。したがって、筐体Ｈ１  の改札通路Ｐの入口側上面にのみ、非接触券と交信するためのアンテナａが設けられているとともに、その非接触券との交信内容やその非接触券の残額情報等を利用者に案内する表示画面１が設けられている。また、筐体Ｈ１  の改札通路Ｐの入口側端面上部には、改札機本体Ｇの稼動状態を利用者に報知する案内部２が設けられている。上記表示画面１の設けられている筐体Ｈ１  の上面は、図示されるように、改札通路Ｐ側が低くなる傾斜面に形成されていて、利用者が表示画面１の表示内容を見やすいように工夫されている。
【００１０】
なお、改札機本体Ｇは、磁気券も処理できる兼用型とすることもできる。この場合は、筐体Ｈ１  のアンテナａの近くで、改札通路Ｐの入口側に磁気券の投入口が設けられるとともに、その筐体Ｈ１  の上面で改札通路Ｐの出口側に磁気券の取出口が設けられ、また、筐体Ｈ１  の内部には、磁気券を処理するための磁気ヘッド等を備えたカードハンドラが設けられる。改札機本体Ｇを兼用型としたときは、カードハンドラを内蔵するために、筐体Ｈ１  ，Ｈ２  の改札通路Ｐの方向の長さが非接触券専用型よりも長くなる。さらに、改札機本体Ｇを入場用にも出場用にも使用できる、いわゆる双方向型にしたときは、他方の筐体Ｈ２  にも、アンテナや投入口等が設けられる。
【００１１】
図中、Ｂはセンサ取付ボックスであって、筐体Ｈ１  ，Ｈ２  の上面で、かつ、改札通路Ｐと反対側に設けられ、その改札通路Ｐに沿って設けられている。このセンサ取付ボックスＢ内には、反射型センサからなる人間検知器Ｓ１  〜Ｓ３  が改札通路Ｐの入口側、中央部及び出口側にそれぞれ内蔵されていて、改札通路Ｐ内の大人の利用者を検知することができるように構成されている。すなわち、この反射型センサからなる人間検知器Ｓ１  〜Ｓ３  は、改札通路Ｐの床面から所定の高さに向けて光線を照射する発光素子と、その照射された光線が物体（利用者）に当たって反射してきた光線（反射光）を受光する受光素子とにより構成されている。また、Ｓ１０〜Ｓ１５は、光電素子からなる透過型センサからなる人間検知器であって、筐体Ｈ１  及び筐体Ｈ２  間の改札通路Ｐ側に所定の間隔を保って設けられていて、改札通路Ｐ内の利用者位置を検知することができるように構成されている。そして、これら透過型センサからなる人間検知器Ｓ１０〜Ｓ１５で検知され、かつ、上述の反射型センサからなる人間検知器Ｓ１  〜Ｓ３  で検知されないときは、その利用者は子供（小児）の利用者と判定される。
【００１２】
図中、Ｄ１  ，Ｄ２  は、改札通路Ｐを開閉する、筐体Ｈ１  ，Ｈ２  の側面に設けられたドアであり、これらドアＤ１  ，Ｄ２  のうち、ドアＤ１  は改札通路Ｐの出口側に設けられ、ドアＤ２  はその入口側に設けられている。そして、これらドアＤ１  ，Ｄ２  は、改札機本体Ｇを統括的に制御する制御器３により駆動制御されるように構成されている。また、ドアＤ２  は、改札機本体Ｇが稼動を停止したときに閉じられるドアであり、さらに、改札機本体Ｇがノーマルオープン型のときや双方向型のときは、このドアＤ２  は、図１の矢印方向と反対方向から進入してくる利用者に対して改札通路Ｐの出口側のドアとなる。本実施の形態では、改札機本体Ｇを図１（ｂ）の矢印で示される方向の利用者を処理する専用型とされている。
【００１３】
図中、Ｌはランプであって、センサ取付ボックスＢの改札通路Ｐの出口側上面に設けられ、無札者等の改札通路Ｐの通過を許可できないときに点灯してその旨を駅の係員に報知するために用いられる。
【００１４】
図中、イは、開口部であって、筐体Ｈ１  ，Ｈ２  の改札通路Ｐ側の側面下部に貫通して、すなわち、筐体Ｈ１  ，Ｈ２  を中間にした反対側の改札通路Ｐに通じる空間として形成されている。この開口部イの大きさは、筐体Ｈが所定の強度を保てる範囲で、かつ、その筐体Ｈ内にドアＤ１  ，Ｄ２  の駆動機構や制御機器類を収納できる容積を確保して、可能な限り大きくあけられる。また、その開口部イの形状は、図示のように長方形ではなく、円形や楕円、あるいは多角形であってもよい。このように、筐体Ｈ１  ，Ｈ２  に開口部イを設けると、筐体Ｈ１  ，Ｈ２  の重量を軽減できる等の効果を得ることができる。
【００１５】
図２は、制御器３の概略構成を示すブロック図であって、メモリ１０に格納されているシステムプログラムデータ及びワーキングデータを用いて所定の演算処理を行う中央処理部（ＣＰＵ）１１を有している。そして、このＣＰＵ１１には、アンテナａを介して非接触券Ｃとデータ授受を行うリーダライタ１２と、各人間検知器Ｓ１  〜Ｓ３  ，Ｓ１０〜Ｓ１５からの信号を入力して増幅処理等する人間検知器ユニット１３と、ドアＤ１  ，Ｄ２  を駆動制御するドア駆動ユニット１４とが接続されている。なお、ＣＰＵ１１には、表示画面１やランプＬを駆動制御するユニット等も接続されているが、ここでは省略されている。
【００１６】
非接触券Ｃは、周知の無線通信機能を有するＩＣカードと同様に構成されている。すなわち、この非接触券Ｃには、図示しないが、アンテナと、改札機本体Ｇ側と交信するための通信制御部と、その通信制御部とＩ／Ｏユニットを介して接続されているＣＰＵと、システムプログラムデータ、定期券データ、ＳＦカードデータ及びカードＩＤデータ等の所定のカードデータの記録されているメモリと、改札機本体Ｇからの電力波をアンテナを介して受信し、非接触券Ｃの駆動電力を生成する電力生成回路とを有している。
【００１７】
以下、図３のフローチャートを用いて制御動作について説明する。今、非接触券Ｃを所持している利用者が改札機本体Ｇを介して入出場を行おうとしてその非接触券Ｃをアンテナａに軽くタッチ、又はそのアンテナａにかざしたとする（以下、タッチで説明する。）（ステップ１００肯定。以下、ステップを「Ｓ」とする。）。なお、アンテナａを介しての交信が行われることなく、利用者の進入が所定位置まで進入したことが検知されたとき、すなわち、図１（ｂ）の▲１▼で示される位置まで進入したことが検知されたときは（Ｓ１００否定、Ｓ１０２肯定）、その利用者は無札者と判定されてドアＤ１  が閉じられて入出場が禁止（阻止）され、また、無札者の発生をランプＬが点灯して係員に報知される（Ｓ１０４、Ｓ１０６）。
【００１８】
さて、非接触券Ｃがアンテナａにタッチされると、改札機本体Ｇ側の処理として、先ず、その非接触券Ｃがこの改札機本体Ｇで使用可能な非接触券であるかの認証処理が行われる。つまり、アンテナａにタッチされた非接触券Ｃが、例えば他社線用のときは、この改札機本体Ｇでの入出場処理は不可能なので、このときは（Ｓ１０６否定）、ドアＤ１  が閉じられ、ランプＬが点灯される（Ｓ１０６）。
【００１９】
非接触券Ｃが改札機本体Ｇで使用可能と認証され、つまり、自社線用と認証されたときは（Ｓ１０）、ＣＰＵ１１において非接触券Ｃに記憶されているカードデータに基づいて入出場のための所定の演算処理が行われる。そして、その演算処理の結果、入出場を許可できないとき、例えば、有効期間切れや乗越し、あるいは、ＳＦカードの残額が不足するようなときは（Ｓ１１０否定）、ドアＤ１  が閉じられるとともに、ランプＬが点灯され、また、表示画面１に精算案内等の所定の案内が行われる（Ｓ１０６）。
【００２０】
非接触券Ｃが改札機本体Ｇで使用できると認証され、かつ、その非接触券Ｃから得たカードＩＤを用いた所定の入出場の演算処理が終了するまでの間に、又は、その演算処理の結果、入出場が許可され、その演算処理に伴う新たな入出場データ（入出場データの書込み又は新たな残額データの等の書込み）が非接触券Ｃのメモリに書込まれた旨の所定の信号を改札機本体Ｇが受信するまでの間に、つまり、所定の一連の入出場の処理が終了するまでの間に利用者が改札通路Ｐの所定の位置▲１▼（図１（ａ）参照）まで進入したことが検知されたときは（Ｓ１０８否定、Ｓ１１４肯定）、その利用者を無札者と判定するのを中止してドアＤ１  の閉を行わず、また、ランプＬの点灯を行わずに待機状態とされる（Ｓ１１６）。したがって、利用者が有効な非接触券Ｃを所持しているときに不用意にドアＤ１  が閉じられたり、ランプＬが点灯することがなく、利用者に不快感を与えるのを効果的に防止することができる。なお、上述の待機状態は、非接触券Ｃをアンテナａにタッチしている間（非接触券Ｃをアンテナａにかざしている間を含む。）とすることができる。非接触券Ｃをアンテナａにタッチしている状態は、アンテナａの近傍に反射型センサ等のセンサを設け、利用者が非接触券Ｃをアンテナａ側に位置させていることを検出して行うことができる。また、非接触券Ｃがアンテナａにタッチされている状態は、非接触券Ｃとアンテナａ（リーダライタ１２）との間の通信状態から判定して検出するようにしてもよい。
【００２１】
しかし、上述の待機状態においても、利用者が上述の改札通路Ｐの所定位置▲１▼よりも奥の改札通路Ｐの所定位置▲２▼（図１（ｂ）参照）まで進入したときは（Ｓ１１８肯定）、非接触券Ｃに新たな入出場データが書込まれずに利用者が改札通路Ｐを通過してしまうのを防止するために、ドアＤ１  が閉じられる（Ｓ１０６）。上述の所定位置▲１▼，▲２▼は、改札通路Ｐ方向の改札機本体Ｇの筐体Ｈ１  ，Ｈ２  の長さによって決められるが、例えば、所定位置▲１▼は、人間検知器Ｓ１１の位置に、また、所定位置▲２▼は、人間検知器Ｓ２  ，Ｓ１２，Ｓ１３の位置とすることができる。
【００２２】
なお、上述の待機状態においては、ドアＤ１  を閉としないようにしたが、この待機状態時に、ドアＤ１  を利用者に不快感を与えない低速で閉動作させてもよく、又は、ドアＤ１  を半分だけ閉じるようにしてもよい。さらに、表示画面１にしばらく待つようにとの案内を行うようにしてもよい。
【００２３】
【発明の効果】
本発明の請求項１に記載の非接触式自動改札機は、改札機本体の改札通路内の利用者を検知する人間検知手段と、前記改札機本体の改札通路の所定の位置まで無札者が進入したときに利用者の通過を阻止する阻止手段と、前記改札機本体に設けられているアンテナにタッチ又はかざされた媒体がその改札機本体で使用可能な非接触券と認証され、かつ、その非接触券に対する所定の入出場処理が終了までに利用者がその改札機本体の改札通路の所定位置まで進入しても前記阻止手段の駆動を中止させる中止制御手段とを有するので、有効な非接触券を所持している利用者に対して不快感を与えるのを効果的に防止することができる。
本発明の請求項２に記載の非接触式自動改札機は、改札機本体の改札通路内の利用者を検知する人間検知手段と、前記改札機本体の改札通路の所定の位置まで無札者が進入したときに利用者の通過を阻止する阻止手段と、前記改札機本体に設けられているアンテナにタッチ又はかざされた媒体がその改札機本体で使用可能な非接触券と認証され、かつ、その非接触券がそのアンテナにタッチ又はかざされている間、利用者がその改札機本体の改札通路の所定位置まで進入しても前記阻止手段の駆動を中止させる中止制御手段とを有するので、有効な非接触券を所持している利用者に対して不快感を与えるのを効果的に防止することができる。
本発明の請求項３に記載の非接触式自動改札機は、阻止手段は、ドア、又はドアとランプからなるので、改札通路の阻止力を高めることができる。
本発明の請求項４に記載の非接触式自動改札機は、利用者がその改札機本体の改札通路の所定位置まで進入したときに、ドアを利用者に不快感を与えない低速で閉動作させ、又は、ドアを半分だけ閉じるようにしたので、有効な非接触券を所持している利用者に対して不快感を与えるのを効果的に防止することができる。
本発明の請求項５に記載の非接触式自動改札機は、改札機本体を非接触券専用型としたので、改札通路側の長さが短くとも利用者に不快感を与えるのを防止することができる。
【図面の簡単な説明】
【図１】（ａ）は、本発明の一実施の形態に係る改札機本体の一対の筐体のうちの一方の筐体の斜視図、（ｂ）は、改札機本体の平面図である。
【図２】制御器の概略構成を示すブロック図である。
【図３】制御動作を示すフローチャートである。
【符号の説明】
Ｇ  非接触式自動改札機の本体（改札機本体）
Ｈ１  ，Ｈ２    筐体
ａ  アンテナ
１  表示画面
２  案内部
３  制御器
Ｓ１  〜Ｓ３  、Ｓ１０〜Ｓ１５  人間検知器
Ｄ１  ，Ｄ２    ドア
Ｐ  改札通路
Ｃ  非接触券
イ  開口部
【図１】
2004326664.tif 000003
【図２】
2004326664.tif 000004
【図３】
2004326664.tif 000005